(57)【要約】【課題】自分撮り構図確認用の反射鏡を備える撮影装置において、撮影装置を手持ちしての自分撮り撮影、及び撮影装置を手放しした状態での自分撮り撮影の何れにおいても好適な自分撮りを可能とする。【解決手段】被写体を撮影する撮影レンズ２を含む撮影手段と、その撮影レンズ２の向きと同じ向きに配置され、被写体からの入射光を反射する反射鏡３と、その反射鏡３を保持する筐体１と、反射鏡３の表面に対して突出するように、筐体１に設けられる突出部材４と、を備え、突出部材４は、筐体１に対し可動に取り付けられて、筐体１の反射鏡３を保持する面側から離間可能である。そして、突出部材４・５は、筐体１に複数取り付けられており、少なくとも一つの突出部材４は、筐体１に対しシャフト６を介して回転可能に取り付けられて、シャフト６を中心に回転して筐体１の反射鏡３を保持する面側から離間する。【選択図】図１
2016218293.tif 000002
【特許請求の範囲】
【請求項１】
被写体を撮影する撮影レンズを含む撮影手段と、
前記撮影レンズの向きと同じ向きに配置され、前記被写体からの入射光を反射する反射鏡と、
前記反射鏡を保持する筐体と、
前記反射鏡の表面に対して突出するように、前記筐体に設けられる突出部材と、を備え、
前記突出部材は、前記筐体に対し可動に取り付けられて、前記筐体の前記反射鏡を保持する面側から離間可能であることを特徴とする撮影装置。
【請求項２】
前記突出部材は、前記筐体に複数取り付けられており、
少なくとも一つの前記突出部材は、前記筐体に対しシャフトを介して回転可能に取り付けられて、前記シャフトを中心に回転して前記筐体の前記反射鏡を保持する面側から離間することを特徴とする請求項１に記載の撮影装置。
【請求項３】
前記複数の突出部材は、前記筐体の長手方向の中心線上の短辺部にそれぞれ設けられていることを特徴とする請求項２に記載の撮影装置。
【請求項４】
前記突出部材が回転可能に取り付けられた側の前記筐体の側面には、当該突出部材の両側に位置する突起部を備えることを特徴とする請求項２または３に記載の撮影装置。
【請求項５】
前記シャフトを中心に前記突出部材を回転して前記筐体の前記反射鏡を保持する面側と反対面側に突き当たるまで回転させた状態で平面に置くと、当該突出部材とその両側の前記突起部との３点で支持され、所定の角度を保った状態で自立することを特徴とする請求項４に記載の撮影装置。
【請求項６】
前記回転可能に取り付けられた突出部材は、前記筐体の前記反射鏡を保持する面側に固定状態に保持されることを特徴とする請求項１から５のいずれか一項に記載の撮影装置。
【請求項７】
前記回転可能に取り付けられた突出部材と前記筐体は、どちらか一方に磁石を、他方に磁性体を備え、前記磁石の磁力により前記筐体の前記反射鏡を保持する面側に固定状態に保持されることを特徴とする請求項６に記載の撮影装置。
【請求項８】
前記回転可能に取り付けられた突出部材は、前記シャフトを中心にトーションバネを組み込んで構成され、前記筐体の前記反射鏡を保持する面側に固定状態に保持されることを特徴とする請求項６に記載の撮影装置。
【請求項９】
前記回転可能に取り付けられた突出部材は、フックにより前記筐体の前記反射鏡を保持する面側に固定状態に保持されることを特徴とする請求項６に記載の撮影装置。
【請求項１０】
前記反射鏡を下にして当該撮影装置を平面に置いた際、前記複数の突出部材と前記筐体の何れか２つ以上が平面と接触し、前記反射鏡が平面と不接触になることを特徴とする請求項２から９のいずれか一項に記載の撮影装置。
【請求項１１】
前記反射鏡は、所定の透過率と反射率を有するハーフミラーであることを特徴とする請求項１から１０のいずれか一項に記載の撮影装置。
【請求項１２】
前記反射鏡は、凸面鏡であることを特徴とする請求項１から１１のいずれか一項に記載の撮影装置。
【発明の詳細な説明】
【技術分野】
【０００１】
本発明は、自分撮り構図確認用の反射鏡を備える撮影装置に関する。
【背景技術】
【０００２】
カメラにおいて、自分撮り時の構図確認用に撮影レンズ付近に小型の鏡を実装したものが知られている（例えば特許文献１参照）。
【先行技術文献】
【特許文献】
【０００３】
【特許文献１】特開２００３−１９５４０３号公報
【発明の概要】
【発明が解決しようとする課題】
【０００４】
しかしながら、上記従来技術の自分撮り構図確認用の鏡を備えるカメラにおいては、自分撮りはカメラを手持ちしての撮影に特化されており、カメラを手放しした状態でのセルフタイマー撮影等での自分撮り撮影は考慮されていないという課題があった。
【０００５】
本発明の課題は、自分撮り構図確認用の反射鏡を備える撮影装置において、撮影装置を手放しした状態での自分撮り撮影にも考慮された撮影装置を提供することである。
【課題を解決するための手段】
【０００６】
以上の課題を解決するため、本発明は、
被写体を撮影する撮影レンズを含む撮影手段と、
前記撮影レンズの向きと同じ向きに配置され、前記被写体からの入射光を反射する反射鏡と、
前記反射鏡を保持する筐体と、
前記反射鏡の表面に対して突出するように、前記筐体に設けられる突出部材と、を備え、
前記突出部材は、前記筐体に対し可動に取り付けられて、前記筐体の前記反射鏡を保持する面側から離間可能である撮影装置を特徴とする。
【発明の効果】
【０００７】
本発明によれば、自分撮り構図確認用の反射鏡を備える撮影装置において、撮影装置を手持ちしての自分撮り撮影、及び撮影装置を手放しした状態での自分撮り撮影の何れにおいても好適な自分撮りが可能となる。
【図面の簡単な説明】
【０００８】
【図１】本発明を適用した撮影装置の一実施形態の構成を示すもので、カメラを示した正面図（ａ）、上面部（ｂ）、及び側面図（ｃ）である。
【図２】図１（ａ）の矢印Ａ−Ａ線に沿った中央断面図である。
【図３】カメラの自立状態を示した側面図である。
【図４】図３の自立状態のカメラをスタンド側から示した斜視図である。
【図５】図５の自立状態のカメラを下面側から示した拡大図である。
【発明を実施するための形態】
【０００９】
以下、図を参照して本発明を実施するための形態を詳細に説明する。
【００１０】
（要点）
自分撮り構図確認用の反射鏡を備える撮影装置において、筐体に設けられる突出部材が回転して自立用スタンドとなる。
【００１１】
（実施形態）
図１及び図２は本発明を適用した撮影装置の一実施形態の構成としてカメラを示すもので、１は筐体、２は撮影レンズ、３はハーフミラー（反射鏡）、４・５は突出部材、６はシャフト、７は磁石、８は突起部である。
【００１２】
図示のように、カメラは、筐体１の撮影レンズ２の前面側に、反射鏡である大きなハーフミラー３を有する自分撮り構図確認用の反射鏡を備えるカメラである。
このハーフミラー３は、所定の透過率と反射率を有する凸面鏡で、被写体からの入射光を撮影レンズ２に透過させる透光部を有している。この透光部は、少なくとも撮影レンズ２の画角部分に対応している。
【００１３】
なお、カメラの筐体１には、撮影レンズ２と、その撮影レンズ２を通した画像を取り込む撮像素子とを含む撮影手段が内蔵されるとともに、その撮影手段により撮影された画像データを処理するコンピュータが内蔵されている。
また、筐体１のハーフミラー３を保持する面側と反対の裏面側には、図４に示すように、表示部１１及び操作部１２が設けられている。
【００１４】
このような筐体１の撮影レンズ２の前面側に大きなハーフミラー３が配置されたカメラにおいて、その筐体１の長手方向の中心線上の短辺部に、ハーフミラー３に対して突出するように突出部材４・５がそれぞれ設けられている。
すなわち、筐体１の長手方向の中心線上の短辺部にそれぞれ設けた一対の突出部材４・５は、図示のように、筐体１の短辺部形状に沿った断面略Ｌ字状で、凸面鏡によるハーフミラー３の表面に対して突出する先端形状となっている。
【００１５】
従って、図１（ｂ）に示すように、ハーフミラー３を下にして、カメラを平面に置いた際、一方の突出部材４と、他方の突出部材５と、筐体１のいずれか２つ以上が平面と接触し、凸面鏡によるハーフミラー３が平面と接触して傷付くのを防ぐことができる。
【００１６】
そして、実施形態では、一方の突出部材４は筐体１に対し回転可能で、他方の突出部材５は筐体１に固定状態となっている。
すなわち、一方の突出部材４は、筐体１のハーフミラー３を保持する面側と反対の裏面側において、シャフト６を介して一端部で回転可能に取り付けられている。
【００１７】
なお、筐体１の一方の短辺部には、図５に拡大して示すように、断面略Ｌ字状の突出部材４の内面側に沿った浅い溝部１４が形成されている。
【００１８】
このように、シャフト６を介して筐体１に接続されて回転可能な突出部材４は磁性体で構成されていて、図２に示すように、筐体１内部に実装された磁石７の磁力により筐体１側に固定状態となる。
【００１９】
また、筐体１の回転可能な突出部材４を設けた短辺部の側面には、突出部材４の両側に位置する一対の突起部８が形成されている。
【００２０】
図３から図５はカメラの自立状態を示したもので、図示のように、突出部材４を、シャフト６を中心に筐体１の受け面１６に突き当たるまで回転させた状態で、筐体１を平面上に置くと、突出部材４と、その両側の筐体１側面に設けた一対の突起部８とにより３点で支持されて、予め設計された所定の角度αを保った状態で自立する。
【００２１】
以上、実施形態の自分撮り構図確認用のハーフミラー３を備えるカメラによれば、ハーフミラー３の表面に対して突出するように突出部材バンパー４・５を設けたことで、ハーフミラー３の傷付きに対応することができる。
【００２２】
そして、一方の突出部材４が回転して自立用スタンドとなることで、カメラを手放しした状態での自分撮り撮影においても好適な自分撮りが可能となる。
【００２３】
（変形例）
なお、以上の実施形態の他、回転可能な突出部材４側に磁石を固定し、筐体１側に磁性体を実装してもよい。
また、回転可能な突出部材４の筐体１側への固定は、磁石ではなく、フック等の構造としてもよい。
同様に、回転可能な突出部材４の筐体１側への固定は、磁石ではなく、シャフト６を中心にトーションバネを組み込んで、常に筐体１側へトルクが掛かる構造としてもよい。
また、ハーフミラー３は、撮影レンズ２の前面ではなく、撮影レンズ２の前面を避けてその両側に、同一方向に並列に実装されていてもよい。
【００２４】
（他の変形例）
以上の実施形態においては、カメラとしたが、本発明はこれに限定されるものではなく、カメラを備える携帯電話など他の電子機器であってもよい。
また、反射鏡、筐体、及び突出部材の形状等も任意であり、その他、具体的な細部構造等についても適宜に変更可能であることは勿論である。
例えば、ハーフミラーの無い撮影装置においても、回転可能な突出部材４はグリップとして機能させることができ、すなわち、グリップ兼自立撮影用スタンドとしてもよい。
また、本実施形態においては、突出部材を自立撮影用スタンドとして利用したが、突出部材を筐体から離間した際に、例えば、鉤状の形態となり、フェンス等に引っ掛けることができるようにしてもよい。
【００２５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
被写体を撮影する撮影レンズを含む撮影手段と、
前記撮影レンズの向きと同じ向きに配置され、前記被写体からの入射光を反射する反射鏡と、
前記反射鏡を保持する筐体と、
前記反射鏡の表面に対して突出するように、前記筐体に設けられる突出部材と、を備え、
前記突出部材は、前記筐体に対し可動に取り付けられて、前記筐体の前記反射鏡を保持する面側から離間可能であることを特徴とする撮影装置。
＜請求項２＞
前記突出部材は、前記筐体に複数取り付けられており、
少なくとも一つの前記突出部材は、前記筐体に対しシャフトを介して回転可能に取り付けられて、前記シャフトを中心に回転して前記筐体の前記反射鏡を保持する面側から離間することを特徴とする請求項１に記載の撮影装置。
＜請求項３＞
前記複数の突出部材は、前記筐体の長手方向の中心線上の短辺部にそれぞれ設けられていることを特徴とする請求項２に記載の撮影装置。
＜請求項４＞
前記突出部材が回転可能に取り付けられた側の前記筐体の側面には、当該突出部材の両側に位置する突起部を備えることを特徴とする請求項２または３に記載の撮影装置。
＜請求項５＞
前記シャフトを中心に前記突出部材を回転して前記筐体の前記反射鏡を保持する面側と反対面側に突き当たるまで回転させた状態で平面に置くと、当該突出部材とその両側の前記突起部との３点で支持され、所定の角度を保った状態で自立することを特徴とする請求項４に記載の撮影装置。
＜請求項６＞
前記回転可能に取り付けられた突出部材は、前記筐体の前記反射鏡を保持する面側に固定状態に保持されることを特徴とする請求項１から５のいずれか一項に記載の撮影装置。
＜請求項７＞
前記回転可能に取り付けられた突出部材と前記筐体は、どちらか一方に磁石を、他方に磁性体を備え、前記磁石の磁力により前記筐体の前記反射鏡を保持する面側に固定状態に保持されることを特徴とする請求項６に記載の撮影装置。
＜請求項８＞
前記回転可能に取り付けられた突出部材は、前記シャフトを中心にトーションバネを組み込んで構成され、前記筐体の前記反射鏡を保持する面側に固定状態に保持されることを特徴とする請求項６に記載の撮影装置。
＜請求項９＞
前記回転可能に取り付けられた突出部材は、フックにより前記筐体の前記反射鏡を保持する面側に固定状態に保持されることを特徴とする請求項６に記載の撮影装置。
＜請求項１０＞
前記反射鏡を下にして当該撮影装置を平面に置いた際、前記複数の突出部材と前記筐体の何れか２つ以上が平面と接触し、前記反射鏡が平面と不接触になることを特徴とする請求項２から９のいずれか一項に記載の撮影装置。
＜請求項１１＞
前記反射鏡は、所定の透過率と反射率を有するハーフミラーであることを特徴とする請求項１から１０のいずれか一項に記載の撮影装置。
＜請求項１２＞
前記反射鏡は、凸面鏡であることを特徴とする請求項１から１１のいずれか一項に記載の撮影装置。
【符号の説明】
【００２６】
１  筐体
２  撮影レンズ
３  ハーフミラー（反射鏡、凸面鏡）
４・５  突出部材
６  シャフト
７  磁石
８  突起部
１１  表示部
１２  操作部
１４  溝部
１６  受け面
【図１】
2016218293.tif 000003
【図２】
2016218293.tif 000004
【図３】
2016218293.tif 000005
【図４】
2016218293.tif 000006
【図５】
2016218293.tif 000007